(57)【要約】【課題】  マルチメディアファイルを選択するステップと、前記マルチメディアファイルの区間選択機能を活性化させるステップと、区間設定のための区間選択マークを表示するステップと、前記区間選択マークを再生バーに沿って移動させてマルチメディアファイルの区間を設定するステップと、を含み、前記区間選択マークは、前記マルチメディアファイルの総再生時間を示す再生バーに表示されることを特徴とする。【選択図】図２
2013516885.tif 000002
【特許請求の範囲】
【請求項１】
携帯端末におけるマルチメディアファイルの区間設定方法において、
マルチメディアファイルを選択するステップと、
前記マルチメディアファイルの区間選択機能を活性化させるステップと、
区間設定のための区間選択マークを表示するステップと、
前記区間選択マークを再生バーに沿って移動してマルチメディアファイルの区間を設定するステップと、
を含み、
前記区間選択マークは、前記マルチメディアファイルの総再生時間を示す再生バーに表示されることを特徴とする携帯端末におけるマルチメディアファイルの区間設定方法。
【請求項２】
前記マルチメディアファイルの前記設定した区間を保存するステップと、
前記設定した区間を繰り返し再生するステップと、
既に保存された区間を呼び出すステップと、
のうちの少なくとも一つをさらに含むことを特徴とする請求項１に記載の携帯端末におけるマルチメディアファイルの区間設定方法。
【請求項３】
前記区間選択マークの位置に対応する時刻情報を表す時刻情報ウィンドウを出力するステップをさらに含むことを特徴とする請求項１に記載の携帯端末におけるマルチメディアファイルの区間設定方法。
【請求項４】
前記設定した区間を繰り返し再生するステップは、
前記区間選択マークのタッチ移動後且つタッチ解放イベントの発生時に前記設定した区間を再生するステップと、
前記マルチメディアファイルの区間設定後且つ既定の再生信号の入力時に前記設定した区間を再生するステップと、
のうちの少なくとも一つを含むことを特徴とする請求項２に記載の携帯端末におけるマルチメディアファイルの区間設定方法。
【請求項５】
前記区間選択マークを表示するステップは、
区間の開始位置を示すスタートマークを表示するステップと、
区間の終了位置を示すエンドマークを表示するステップと、
を含むことを特徴とする請求項１に記載の携帯端末におけるマルチメディアファイルの区間設定方法。
【請求項６】
前記区間を設定するステップは、
前記スタートマーク及び前記エンドマークのうちの少なくとも一方をタッチして前記再生バーに沿って移動させるステップを含むことを特徴とする請求項５に記載の携帯端末におけるマルチメディアファイル区間設定方法。
【請求項７】
前記区間選択マークを表示するステップは、
前記選択したマルチメディアファイルの再生中に前記区間選択機能が活性化される場合に、前記スタートマーク及び前記エンドマークを現在の再生位置にそれぞれ表示するステップと、
前記スタートマーク及び前記エンドマークのうちの少なくとも一方のタッチ移動イベントの発生前まで前記スタートマークを前記現在の再生位置に固定し、前記エンドマークを前記マルチメディアファイルの再生に対応して移動させるステップと、
を含むことを特徴とする請求項５に記載の携帯端末におけるマルチメディアファイルの区間設定方法。
【請求項８】
前記区間選択マークを表示するステップは、
前記スタートマークを前記再生バーの一方の端に出力するステップと、
前記エンドマークを前記再生バーの他方の端に出力するステップと、
を含むことを特徴とする請求項５に記載の携帯端末におけるマルチメディアファイルの区間設定方法。
【請求項９】
前記区間選択マークを表示するステップは、
前記選択されたマルチメディアファイルの再生中に前記区間選択機能が活性化される場合に、タッチ移動イベントの発生前まで前記マルチメディアファイルの再生に対応して移動される未索引マークを出力するステップであることを特徴とする請求項５に記載の携帯端末におけるマルチメディアファイルの区間設定方法。
【請求項１０】
前記区間を設定するステップは、
前記マルチメディアファイルの再生方向に前記未索引マークのタッチ移動が発生する場合に、前記未索引マークを前記タッチ移動に対応して移動させるステップと、
前記マルチメディアファイルの逆再生方向に前記未索引マークのタッチ移動後にタッチ解放イベントが発生する場合に、前記未索引マークのタッチ解放イベントが発生した個所に前記スタートマークを出力し、前記タッチ移動前の再生位置に前記エンドマークを出力するステップと、
を含むことを特徴とする請求項９に記載の携帯端末におけるマルチメディアファイルの区間設定方法。
【請求項１１】
携帯端末におけるマルチメディアファイルの区間設定装置において、
前記区間選択機能の活性化時にマルチメディアファイルの区間設定のための区間選択マークを表示する表示部と、
前記区間選択マークの移動指令に対応して、前記マルチメディアファイルの区間を設定する制御部と、
を備え、
前記区間選択マークは、前記マルチメディアファイルの総再生時間を示す再生バーに表示されることを特徴とする携帯端末におけるマルチメディアファイルの区間設定装置。
【請求項１２】
前記マルチメディアファイルの前記設定した区間を保存する保存部をさらに備えることを特徴とする請求項１１に記載の携帯端末におけるマルチメディアファイルの区間設定装置。
【請求項１３】
前記区間選択マークは、
前記設定した区間の開始位置を示すスタートマークと、前記設定した区間の終了位置を示すエンドマークと、を備えることを特徴とする請求項１１に記載の携帯端末におけるマルチメディアファイルの区間設定装置。
【請求項１４】
前記表示部は、
前記区間選択マークの位置に対応する時刻情報を出力する時刻情報ウィンドウをさらに出力することを特徴とする請求項１１に記載の携帯端末におけるマルチメディアファイルの区間設定装置。
【請求項１５】
前記制御部は、
前記区間の選択完了を示す信号の入力時に前記選択された区間を繰り返し再生することを特徴とする請求項１１に記載の携帯端末におけるマルチメディアファイルの区間設定装置。
【発明の詳細な説明】
【技術分野】
【０００１】
本発明は携帯端末に係り、特に、マルチメディアファイルの区間を直観的に且つ容易に設定することのできる携帯端末のマルチメディアファイルの区間設定方法及びその装置に関する。
【背景技術】
【０００２】
最近の携帯端末技術の急速な発展には目を見張るものがあり、これに伴い、音声通話機能に加えて、種々の付加機能、例えば、文字メッセージ送受信機能、写真撮影機能、音楽感想機能、デジタル放送サービス機能、電子メールサービス機能、インスタントメッセンジャーサービス機能などを提供している。また、最近の携帯端末は、オーディオファイル及び動画像ファイルを再生できるマルチメディアファイル再生機能を提供している。前記マルチメディアファイル再生機能は、所定の区間を繰り返し再生する区間繰り返し機能を提供している。しかしながら、繰り返し再生区間の設定方法は、既定のキー入力により開始位置を設定し、終了位置まで再生されることを待つか、あるいは、スキップ動作により終了しようとする位置に移動後に、キー入力により終了位置を設定しなければならないという不都合がある。なお、区間の変更時に、従来には、開始位置及び終了位置のうちのいずれか一方のみを変更することができず、開始位置及び終了位置を同時に再設定しなければならないという不都合がある。このように、区間繰り返し設定方法は、ユーザーに不便さを招いていた。
【０００３】
したがって、ユーザーが直観的に且つ容易にマルチメディアファイルの区間（例えば、繰り返し再生区間）を選択することのできる携帯端末におけるマルチメディア区間の設定方法及び装置が望まれている。
【発明の概要】
【発明が解決しようとする課題】
【０００４】
本発明は上述した従来の技術における問題点を解消するために案出されたものであり、その目的は、ユーザーが直観的に且つ容易にマルチメディアファイルの区間を選択することのできる携帯端末におけるマルチメディアファイルの区間設定方法及び装置を提供することにある。
【０００５】
また、本発明の他の目的は、設定したマルチメディアファイルの区間を保存し且つ呼び出すことのできる携帯端末におけるマルチメディアファイルの区間設定方法及び装置を提供することにある。
【課題を解決するための手段】
【０００６】
上記の目的を達成するために、本発明の一態様による携帯端末におけるマルチメディアファイルの区間設定方法は、マルチメディアファイルを選択するステップと、前記マルチメディアファイルの区間選択機能を活性化させるステップと、区間設定のための区間選択マークを表示するステップと、前記区間選択マークを再生バーに沿って移動させてマルチメディアファイルの区間を設定するステップと、を含み、前記区間選択マークは、前記マルチメディアファイルの総再生時間を示す再生バーに表示されることを特徴とする。
【０００７】
上記の目的を達成するために、本発明の一態様による携帯端末におけるマルチメディアファイルの区間設定装置は、前記区間選択機能の活性化時にマルチメディアファイルの区間設定のための区間選択マークを表示する表示部と、前記区間選択マークの移動指令に対応して、前記マルチメディアファイルの区間を設定する制御部と、を備え、前記区間選択マークは、前記マルチメディアファイルの総再生時間を示す再生バーに表示されることを特徴とする。
【発明の効果】
【０００８】
本発明に係る携帯端末におけるマルチメディアファイルの区間設定方法及び装置は、ユーザーが直観的に且つ容易にマルチメディアファイルの区間を選択することができてユーザーの使い勝手を向上することができる。また、本発明は、マルチメディアファイルの区間の再設定を容易に行うことができてユーザーの使い勝手を向上することができる。なお、本発明は、選択されたマルチメディアファイルの区間を保存し、保存されたマルチメディアファイルの区間情報を呼び出すことができてユーザーの使い勝手を向上することができる。
【図面の簡単な説明】
【０００９】
【図１】本発明の実施形態による携帯端末の構成を概略的に示すブロック図である。
【図２】本発明の実施形態による携帯端末の繰り返し再生区間の設定方法を示すフローチャートである。
【図３】本発明の第１の実施形態による繰り返し再生区間の設定過程を示す例示図でる。
【図４】本発明の第２の実施形態による繰り返し再生区間の設定過程を示す例示図でる。
【図５】本発明の第３の実施形態による繰り返し再生区間の設定過程を示す例示図である。
【発明を実施するための形態】
【００１０】
以下、添付図面に基づき、本発明の好適な実施形態について詳述する。このとき、図中、同じ構成要素にはできる限り同じ符号を付していることに留意すべきである。なお、本発明の要旨を曖昧にする虞のある公知機能及び構成についての詳細な説明は省略する。
【００１１】
一方、本明細書及び図面に示す本発明の実施形態は本発明の技術内容を分かり易く説明して本発明の理解への一助となるために特定の例を提示したものに過ぎず、本発明の範囲を限定しようとするものではない。ここに開示された実施形態に加えて、本発明の技術的思想に基づく他の変形例が実施できるということは本発明が属する技術分野において通常の知識を持つ者にとって自明である。
【００１２】
本発明の実施形態による携帯端末は、マルチメディアファイル（例えば、オーディオファイル、動画像ファイルなど）を再生できるマルチメディア装置である。例えば、携帯端末は、ＰＤＡ（Ｐｅｒｓｏｎａｌ  Ｄｉｇｉｔａｌ  Ａｓｓｉｓｔａｎｔ）、ハンドヘルドＰＣ（Ｈａｎｄ−Ｈｅｌｄ  ＰＣ）、ノート型パソコン、ＭＰ３プレーヤー、ポータブルマルチメディアプレーヤー（Ｐｏｒｔａｂｌｅ  Ｍｕｌｔｉｍｅｄｉａ  Ｐｌａｙｅｒ：ＰＭＰ）などを含む。なお、携帯端末は、マルチメディアファイル再生機能を有する移動通信端末をも含む。
【００１３】
本発明について詳細に説明するに先立って、本発明は、区間選択マークを用いてマルチメディアファイルの区間を選択する技術的な特徴を含む。本発明は、選択された区間を繰り返し再生したりマルチメディアファイルを編集したりするために、マルチメディアファイルの区間を選択する。以下、説明の便宜のために、マルチメディアファイルの繰り返し再生区間の設定方法及び装置を例にとって本発明を説明する。
【００１４】
図１は、本発明の実施形態による携帯端末の構成を概略的に示すブロック図である。
【００１５】
本発明を詳細に説明するに先立って、以下では、説明の便宜のために、移動通信端末を例にとって本発明の実施形態による携帯端末の構成について説明する。
【００１６】
図１を参照すると、本発明の実施形態による携帯端末１００は、制御部１１０と、保存部１２０と、タッチスクリーン１３０と、入力部１４０と、無線通信部１５０及びオーディオ処理部１６０を備える。タッチスクリーン１３０は、表示部１３１及びタッチパネル１３２を備え、保存部１２０は、マルチメディアファイル保存領域１２１と、再生制御情報保存領域１２２と、を備える。
【００１７】
入力部１４０は、数字または種々の文字情報の入力を受け、各種の機能の設定及び携帯端末１００の機能制御のための入力キー及び機能キーを備えていてもよい。例えば、入力部１４０は、音声通話の要請のための通話キー、画像通話の要請のための画像通話キー、音声通話または画像通話終了などを要請する終了キー、オーディオ信号の出力ボリュームを調整できるボリュームキー及び方向キーなどを備えていてもよい。特に、本発明による入力部１４０は、区間選択機能（例えば、区間繰り返し機能）を活性化させる短縮キーを備えていてもよい。または、入力部１４０は、区間選択機能（例えば、区間繰り返し機能）の活性化時に出力される区間選択マークを移動させる機能キー（例えば、方向キー）を備えていてもよい。例えば、区間の開始位置を示すスタートマークは、入力部１４０の左右方向キー信号に基づいて移動し、区間の終了位置を示すエンドマークは、上下方向キー信号に基づいて移動するように設定する。このような入力部１４０は、携帯端末１００の提供形態によって、タッチパッド、タッチスクリーン１３０、通常のキー配列のボタン式キーパッド、クウォーティー方式のボタン式キーパッドなどの入力装置のうちのいずれか一つまたはこれらの組み合わせから形成されてもよい。
【００１８】
無線通信部１５０は、制御部１１０の制御により、通話機能に必要な音声信号及びデータ通信に必要なデータを送受信することができる。このような無線通信部１５０は、アンテナから受信される受信信号と、制御部１１０から送られてアンテナを介して送信される送信信号とを分離する送受信分離部（図示せず）、送信信号の周波数を上昇変換し、上昇変換された送信信号を増幅する送信部（図示せず）及び受信信号を低雑音増幅し、低雑音増幅された受信信号の周波数を下降変換する受信部（図示せず）などを備えていてもよい。無線通信部１５０は、制御部１１０の制御下で外部（ウェブサーバー、移動通信事業者サーバーなど）からマルチメディアファイルをダウンロードすることができる。ダウンロードされたマルチメディアファイルは、保存部１２０のマルチメディアファイル保存領域１２１に保存される。
【００１９】
オーディオ処理部１６０は、オーディオ信号をスピーカーＳＰＫに伝送して出力するか、あるいは、マイクＭＩＣから入力されるオーディオ信号を制御部１１０に伝送する機能を行う。すなわち、オーディオ処理部１６０は、マイクＭＩＣから入力されたアナログ音声信号をデジタル音声信号に変換して制御部１１０に伝送するか、あるいは、デジタル音声信号をアナログ音声信号に変換してスピーカーＳＰＫを介して出力する。なお、オーディオ処理部１６０は、保存部１２０に既に保存されたキー入力音、機能実行による効果音及びマルチメディアファイルの再生によるオーディオ信号などを出力することができる。
【００２０】
保存部１２０は、本発明の実施形態による携帯端末１００のオペレーションシステム（Ｏｐｅｒａｔｉｎｇ  Ｓｙｓｔｅｍ：ＯＳ）、その他のオプション機能、例えば、音再生機能、イメージまたは動画像再生機能、放送信号再生機能などに必要な応用プログラムをはじめとして、ユーザーデータなどを保存することができる。保存部１２０は、プログラム領域及びデータ領域から構成されていてもよい。プログラム領域は、携帯端末１００の動作のためのプログラム及び本発明の実施形態により繰り返し再生区間の設定を制御するプログラムを保存する。そして、データ領域は、プログラムの実行中に発生するデータを保存する。また、データ領域は１以上のマルチメディアファイル（例えば、オーディオファイル、動画像ファイル）を保存するマルチメディアファイル保存領域１２１と、マルチメディアファイルの再生制御情報（例えば、ボリューム情報、音色情報、総再生時間情報、繰り返し再生区間情報など）を保存する再生制御情報保存領域１２２と、を備える。マルチメディアファイル保存領域１２１は、外部からダウンロードされたマルチメディアファイルを保存することができる。
【００２１】
タッチスクリーン１３０は、画面出力機能を行う表示部１３１と、タッチ入力機能を行うタッチパネル１３２と、を備える。表示部１３１は、携帯端末１００の機能により発生する画面データ、ユーザーの入力イベント、キー操作などの状態情報及び携帯端末１００の機能設定情報などを出力する。例えば、表示部１３１は、ブート画面、待ち受け画面、メニュー画面、画像通話画面、文書編集画面などを表示することができる。特に、本発明の実施形態による表示部１３１は、マルチメディアファイル再生画面を表示し、区間選択機能（例えば、区間繰り返し機能）の活性化時に区間（例えば、繰り返し再生区間）の設定のための区間選択マークを表示することができる。これについての詳細な説明は、図３乃至図５を参照して後述する。表示部１３１は、液晶ディスプレイ（Ｌｉｑｕｉｄ  Ｃｒｙｓｔａｌ  Ｄｉｓｐｌａｙ：ＬＣＤ）、有機発光ダイオード（Ｏｒｇａｎｉｃ  Ｌｉｇｈｔ  Ｅｍｉｔｔｉｎｇ  Ｄｉｏｄｅｓ：ＯＬＥＤ）、能動型有機発光ダイオード（Ａｃｔｉｖｅ  Ｍａｔｒｉｘ  Ｏｒｇａｎｉｃ  Ｌｉｇｈｔ  Ｅｍｉｔｔｉｎｇ  Ｄｉｏｄｅｓ：ＡＭＯＬＥＤ）などから形成されてもよい。
【００２２】
タッチパネル１３２は、表示部１３１の前面に取り付けられ、入力イベントが発生すると、それによる物理量（例えば、抵抗、静電容量など）の変化を検出して入力イベントの発生を感知する。タッチパネル１３２は、入力イベントによる物理量の変化をデジタル信号に変換して制御部１１０に受け渡すことができる。タッチパネル１３２は、マルチタッチ入力を認識することができる。
【００２３】
制御部１１０は、携帯端末１００の全般的な動作を制御する機能を行う。特に、本発明の実施形態による制御部１１０は、マルチメディアファイルの再生及び再生中のマルチメディアファイルの繰り返し再生区間の設定を制御することができる。詳しくは、制御部１１０は、マルチメディアファイルの選択後に区間選択機能（例えば、区間繰り返し機能）が活性化されると、区間選択マークを表示部１３１に出力することができる。区間選択マークは、開始位置を設定するためのスタートマークと、終了位置を設定するためのエンドマークと、を備えることができる。ユーザーは、再生バーに沿ってスタートマーク及びエンドマークを移動させることにより、区間（例えば、繰り返し再生すべき区間）を容易に設定することができる。また、設定した区間（例えば、繰り返し再生区間）を容易に変更することができる。選択された区間の繰り返し再生が要請されると、制御部１１０は、区間繰り返し機能の解放信号が入力されるまで設定した区間を繰り返し再生することができる。すなわち、制御部１１０は、区間選択マークのタッチ移動後且つ区間選択マークのタッチ解放イベント及び既定の再生信号入力イベントのうちの少なくとも一方のイベントの発生時に選択された区間を再生することができる。なお、制御部１１０は、選択された区間（例えば、繰り返し再生区間）を保存部１２０に保存するか、あるいは、保存された区間（例えば、繰り返し再生区間）を呼び出すことができる。
【００２４】
一方、上述してはいないが、携帯端末１００は、イメージまたは動画像撮影のためのカメラモジュール、近距離無線通信のための近距離通信モジュール、放送受信のための放送受信モジュール及びインターネット機能を行うインターネット通信モジュールなどの付加機能を有する構成要素を選択的にさらに含むことができる。これらの構成要素は、デジタル機器のコンバージェンスの傾向に伴い種々に変形できるため一々列挙することはできないが、本発明による携帯端末１００は、上述した構成要素と同等レベルの構成要素をさらに備えることができる。
【００２５】
図２は、本発明の実施形態による携帯端末の繰り返し再生区間の設定方法を概略的に示すフローチャートである。
【００２６】
図１及び図２を参照すると、本発明の実施形態による制御部１１０は、ステップ２０１において、マルチメディアファイル再生プログラムの実行を感知する。ここで、マルチメディアファイル再生プログラムは、マルチメディアファイル（例えば、オーディオファイル、動画像ファイルなど）を再生する応用プログラムである。マルチメディアファイル再生プログラムが実行されると、表示部１３１は、マルチメディアファイルの再生のためのユーザーインタフェース（Ｕｓｅｒ  Ｉｎｔｅｒｆａｃｅ、以下、ＵＩと言う。）画面（以下、マルチメディアファイル再生画面と言う。）を表示する。マルチメディアファイル再生画面は、マルチメディアファイルの現在の再生位置及び総再生時間を示す再生バー、マルチメディアファイル再生プログラムのオプションメニュー（区間繰り返し機能、次曲再生、前曲再生、一時停止、再生モード変更、読み込み、保存）などを含む。マルチメディアファイル再生画面についての詳細な説明は、図３乃至図５を参照して後述する。
【００２７】
制御部１１０は、ステップ２０３において、ユーザー要請に応じて特定のマルチメディアファイルを再生する。次いで、制御部１１０は、ステップ２０５において、区間繰り返し機能が活性化されるか否かを確認する。ステップ２０５において、区間繰り返し機能が活性化されていないと決定されると、制御部１１０はステップ２１７へ移行して当該機能を行う。例えば、制御部１１０は、再生速度の増加を要請するメニューが活性化される場合に、マルチメディアファイルの再生速度を増加させ、次ファイルの再生を要請するメニューが活性化される場合に、一覧上において現在再生中のマルチメディアファイルの次に位置するマルチメディアファイルを再生するように制御する。
【００２８】
一方、ステップ２０５において、区間繰り返し機能が活性化されていると決定されると、制御部１１０はステップ２０７へ移行して繰り返し再生すべき区間を選択する区間選択マークを出力する。区間選択マークは、繰り返し再生すべき開始位置を示すスタートマークと、終了位置を示すエンドマークと、を備える。ユーザーは、区間選択マークを用いて、繰り返し再生しようとする区間を容易に選択できる。例えば、携帯端末１００がタッチスクリーン１３０を備える場合に、区間選択マーク（スタートマーク、エンドマーク）をタッチした状態で、再生バーに沿って前後に移動して開始位置及び終了位置を設定する。
【００２９】
制御部１１０は、ステップ２０９において、繰り返し再生区間の設定が完了したか否かを確認する。このとき、制御部１１０は、区間選択マークのタッチ解放イベントの発生時に繰り返し再生区間の設定が完了したと判断する。または、制御部１１０は、設定した区間の繰り返し再生を要請する再生ソフトキー入力イベントの発生時に繰り返し再生区間の設定が完了したと判断する。
【００３０】
ステップ２０９において、繰り返し再生区間の設定が完了していないと決定されると、制御部１１０はステップ２０７へ戻る。これに対し、ステップ２０９において、繰り返し再生区間の設定が完了したと決定されると、制御部１１０はステップ２１１へ移行して設定した区間を繰り返し再生する。次いで、制御部１１０は、ステップ２１３において、区間繰り返し機能解放信号が入力されたか否かを確認する。ステップ２１３において、区間繰り返し機能解放信号が入力されていないと決定されると、制御部１１０はステップ２１１へ戻り、ステップ２１３において、区間繰り返し機能解放信号が入力されたと決定されると、ステップ２１５へ移行してマルチメディアファイル再生プログラムの終了信号が入力されたか否かを確認する。ステップ２１５において、終了信号が入力されていないと決定されると、制御部１１０はステップ２０３へ戻り、上述した過程を行う。これに対し、ステップ２１５において、終了信号が入力されたと決定されると、制御部１１０は、マルチメディアファイル再生プログラムを終了する。
【００３１】
一方、図２に示してはいないが、設定した繰り返し再生区間を保存するステップをさらに含む。なお、保存された繰り返し再生区間を呼び出すステップをさらに含む。
【００３２】
以上、本発明の実施形態による携帯端末の繰り返し再生区間の設定方法について概説した。以下、図３乃至図５を参照して、携帯端末の繰り返し再生区間の設定過程について詳述する。また、以下、タッチを用いて繰り返し再生区間を設定する場合を例にとって説明を行う。しかしながら、本発明は、方向キー、ジョグキー、マウスなどのポインティング装置を用いて繰り返し再生区間を設定することもできる。例えば、スタートマークまたはエンドマークを選択した後、方向キーまたはジョグキーを用いてスタートマークまたはエンドマークを移動させる。または、ノート型パソコンのようにマウスを備える場合に、マウスを用いてスタートマークまたはエンドマークを選択（クリック）した状態で移動させ、選択（クリック）を解放する。
【００３３】
図３は、本発明の第１の実施形態による携帯端末の繰り返し再生区間の設定過程を示す例示図である。
【００３４】
図３を参照すると、ユーザーがマルチメディアファイルの再生を要請すると、制御部１１０は、参照符号３１０の画面例示図に示すマルチメディアファイル再生画面を表示部１３１に出力する。参照符号３１０の画面において、マルチメディアファイル再生画面が全体画面として表示されることが示してあるが、マルチメディアファイル再生画面は、表示部１３１の一部の領域にポップアップウィンドウの形で表示されてもよい。
【００３５】
参照符号３１０の画面例示図において、参照符号３０１は、マルチメディアファイルの現在の再生時間３０６及びマルチメディアファイルの総再生時間３０５を示す再生バーである。再生バー３０１は、再生の進行に対応して特定の色相に着色されて再生の進み具合を示す。あるいは、再生バー３０１は、再生の進み具合に応じて再生バー３０１に沿って移動することにより、現在の再生位置を示す標識を含む。また、参照符号３０２は、区間繰り返し機能を活性化させる区間繰り返しソフトキーであり、参照符号３００は、以前ファイル再生ソフトキー３１、一時停止ソフトキー３２及び次ファイル再生ソフトキー３３を有するメニューキー領域を示し、参照符号３０４は、一覧に含まれているマルチメディアファイルの再生モード一覧に含まれているファイルを順番に再生する一般再生（Ｎｏｒｍａｌ）モード、一覧に含まれているファイルをランダムに再生するランダム再生（Ｓｈｕｆｆｌｅ）モード、選択されたファイルを繰り返し再生する繰り返し再生（Ｒｅｐｅａｔ）モードを選択できる再生モードソフトキー表示領域であり、参照符号３０７は、マルチメディアファイルの再生一覧を表示する一覧ソフトキーを意味する。また、図３の索引「Ａ」はスタートマークであることを示し、索引「Ｂ」はエンドマークであることを意味する。
【００３６】
参照符号３１０のような状態で、ユーザーが区間繰り返しソフトキー３０２をタッチすると、制御部１１０は、タッチパネル１３２を介して入力される区間繰り返しソフトキー３０２の入力信号を感知し、それに応じて、参照符号３２０にて示すように、繰り返し再生すべき区間を選択する区間選択マーク３２１、３２２を出力する。このとき、参照符号３２１は、繰り返し再生区間の開始位置を示すスタートマークであり、参照符号３２２は、繰り返し再生区間の終了位置を示すエンドマークである。制御部１１０は、スタートマーク３２１及びエンドマーク３２２を現在の再生位置（１分１８秒、以下、０１：１８と言う。）に出力し、再生バー３０１を基準としてスタートマーク３２１を上段に出力し、エンドマーク３２２を下段に出力する。しかしながら、本発明はこれに限定されるものではない。例えば、スタートマーク３２１及びエンドマーク３２２は、上段または下段といった個所に出力され得る。このとき、表示部１３１の一方の側には、スタートマーク３２１及びエンドマーク３２２の位置を時刻情報にて示す時刻情報ウィンドウ３２３が出力され得る。また、区間繰り返し機能が活性化されると、一覧ソフトキー３０７は、区間繰り返し機能を解放する解放ソフトキー３２４、設定した繰り返し再生区間を保存する保存ソフトキー３２５、及び保存された繰り返し再生区間情報を呼び出す読み込みソフトキー３２６に変更され得る。さらに、再生モードソフトキー表示領域３０４は、ユーザーが選択できないように不活性化状態に変更して出力され得る。区間繰り返しソフトキー３０２は、画面から消えるか、あるいは、区間繰り返しソフトキー３０２は、解放機能を行うように機能が変更され得る。
【００３７】
参照符号３２０のような状態で、イベント入力が発生しなければ、スタートマーク３２１は、区間繰り返し機能が活性化された時刻「０１：１８」に固定され、エンドマーク３２２は、マルチメディアファイルの再生に応じて再生バー３０１に沿って移動できる。すなわち、参照符号３２０の状態で、イベント発生なしに２０秒が流れたことを想定すると、参照符号３３０にて示すように、スタートマーク３２１は「０１：１８」の位置にあり、エンドマーク３２２は「０１：３８」の位置に移動して出力され得る。このとき、図示はしないが、ユーザーが一時停止ソフトキー３２をタッチすると、制御部１１０は、マルチメディアファイルの再生及びエンドマーク３２２の移動を中止する。このとき、一時停止ソフトキー３２は、再生ソフトキー３４に変更され得る。再生ソフトキー３４のタッチイベントの発生時に、制御部１１０は、スタートマーク３２１及びエンドマーク３２２が位置する「１：１８」から「１：３８」までの区間を繰り返し再生する。
【００３８】
参照符号３２０または３３０の画面例示図に示す状態で、ユーザーは、スタートマーク３２１及びエンドマーク３２２を自分が希望する位置に移動して繰り返し再生すべき区間を容易に設定する。例えば、参照符号３３０の画面例示図に示す状態で、ユーザーは、エンドマーク３２２を「１：５８」の位置に移動させる。このとき、オーディオ処理部１６０は、既定の音（例えば、速い探索音）をスピーカーＳＰＫを介して出力し、時刻情報ウィンドウ３２３は、エンドマーク３２２の移動により時刻情報を変更して出力する。この後、エンドマーク１３２のタッチ解放イベントが感知されると、制御部１１０は、スタートマーク３２１の位置からエンドマーク３２２の位置までの区間を繰り返し再生する。すなわち、制御部１１０は、「１：１８」から「１：５８」までに設定した繰り返し再生区間を区間繰り返し解放信号が入力されるまで繰り返し再生するように制御する。
【００３９】
一方、参照符号３４０の画面例示図に示す状態で、ユーザーは、スタートマーク３２１を移動して繰り返し再生区間を変更することもできる。例えば、参照符号３４０及び３５０の画面例示図に示すように、ユーザーは、スタートマーク３２１をタッチして「１：２８」の位置に移動させる。このとき、オーディオ処理部１６０は、既定の効果音をスピーカーＳＰＫを介して出力し、時刻情報ウィンドウ３２３はスタートマーク３２１の移動により時刻情報を変更して出力する。この後、スタートマーク１３１のタッチ解放イベントが感知されると、制御部１１０は、「１：２８」から「１：５８」までに設定した区間を繰り返し再生するように制御する。
【００４０】
次いで、参照符号３６０の画面例示図に示すように設定した区間を再生する最中に一時停止ソフトキー３２がタッチされると、制御部１１０は、区間繰り返し再生を一時停止する。このとき、一時停止ソフトキー３２は、参照符号３７０の画面例示図に示すように、再生ソフトキー３４に変更される。参照符号３７０の画面例示図に示す状態で、ユーザーが解放ソフトキー３２４をタッチすると、制御部１１０は、区間繰り返し機能を解放し、参照符号３８０に示すように、マルチメディアファイル再生画面に戻る。このとき、制御部１１０は、マルチメディアファイルの再生を維持する。
【００４１】
参照符号３８０の画面例示図を参照すると、表示部１３１は、制御部１１０の制御下で区間選択マーク３２１、３２２及び時刻情報ウィンドウ３２３を除去し、不活性化されていた再生モード選択ソフトキー表示領域３０４を活性化させ、解放ソフトキー３２４、保存ソフトキー３２５及び読み込みソフトキー３２６を一覧ソフトキー３０７に変更して出力する。一方、以上では、一時停止後に区間繰り返し機能を解放すると説明したが、区間繰り返し再生中に解放ソフトキー３２４のタッチイベントが入力されると、区間繰り返し機能を解放する。
【００４２】
一方、図３に示していないが、繰り返し再生区間の設定後に保存ソフトキー３２５のタッチイベントが発生すると、制御部１１０は、設定した繰り返し再生区間情報を保存部１２０に保存する。このとき、繰り返し再生区間は、各マルチメディアファイルにマッピングして保存され、当該マルチメディアファイルの削除時に一緒に削除され得る。または、制御部１１０は、繰り返し再生区間情報がマッピングされたマルチメディアファイルの削除時に繰り返し再生区間情報の削除有無を確認するポップアップウィンドウを出力してユーザー選択により削除する。また、読み込みソフトキー３２６のタッチイベントが発生すると、制御部１１０は、既に保存された繰り返し再生区間情報を保存部１２０から呼び出して表示部１３１に出力する。
【００４３】
さらに、以上では、スタートマーク３２１とエンドマーク３２２をそれぞれタッチして移動すると説明したが、本発明はこれに限定されるものではない。例えば、本発明は、スタートマーク３２１とエンドマーク３２２を同時にタッチするマルチタッチによりスタートマーク３２１及びエンドマーク３２２を同時に移動して繰り返し再生区間を設定する。
【００４４】
図４は、本発明の第２の実施形態による携帯端末の繰り返し再生区間の設定過程を示す例示図である。
【００４５】
図４を参照すると、ユーザーがマルチメディアファイルの再生を要請すると、制御部１１０は、参照符号４１０の画面例示図に示すマルチメディアファイル再生画面を出力する。このとき、マルチメディアファイルが再生中であるため、メニューキー領域３００には前曲再生ソフトキー３１、一時停止ソフトキー３２及び次曲再生ソフトキー３３を出力され得る。
【００４６】
次いで、参照符号４１０の画面例示図に示す状態で、区間繰り返しソフトキー３０２のタッチイベントが発生すると、制御部１１０は、マルチメディアファイルの再生を中止し、参照符号４２０の画面例示図に示すように、スタートマーク３２１及びエンドマーク３２２を再生バー３０１の一方の端（マルチメディアファイルの再生開始位置）と他方の端（マルチメディアファイルの再生終了位置）にそれぞれ出力する。このとき、マルチメディアファイルの再生が中止されるに伴い、一時停止ソフトキー３２は再生ソフトキー３４に変更して出力され得る。また、時刻情報ウィンドウ３２３は索引情報Ａ、Ｂのみを出力し、時刻情報を出力しないこともある。あるいは、時刻情報ウィンドウ３２３は、スタートマーク３２１に対応して「００：００」を出力し、エンドマーク３２２に対応して全体の再生時刻０３：５４を出力する。
【００４７】
次いで、ユーザーは、繰り返し再生すべき区間の開始位置を設定するために、参照符号４２０の画面例示図に示す状態でスタートマーク３２１をタッチして移動できる。例えば、参照符号４３０の画面例示図に示すように、スタートマーク３２１を「１：３８」の位置に移動させる。このとき、時刻情報ウィンドウ３２３は、区間繰り返しの開始位置を知らせるために、索引情報「Ａ」に対応して時刻情報「１：３８」を出力し、索引情報「Ｂ」に対応して時刻情報を出力しないこともある。
【００４８】
次いで、参照符号４３０の画面例示図に示す状態で、ユーザーは、繰り返し再生すべき区間の終了位置を設定するために、エンドマーク３２２をタッチして移動できる。このとき、制御部１１０は、エンドマーク３２２がスタートマーク３２１の位置まで移動した場合に、エンドマーク３２２がスタートマーク３２１の左側に位置しないようにエンドマーク３２２の移動を中止する。例えば、ユーザーは、参照符号４４０の画面例示図に示すように、エンドマーク３２２を「３：０２」の位置に移動させる。このとき、時刻情報ウィンドウ３２３は、開始位置を知らせる索引情報「Ａ」と時刻情報「１：３８」を出力し、終了位置を知らせる索引情報「Ｂ」と時刻情報「３：０２」を出力する。一方、携帯端末１００が逆方向再生機能に対応する場合に、エンドマーク３２２はスタートマーク３２１の右側に位置するように移動され得る。このとき、制御部１１０は、設定した区間を逆方向に再生する。
【００４９】
繰り返し再生区間設定が完了すると、参照符号４４０の画面例示図に示すように、ユーザーは、設定した区間を繰り返し再生するために再生ソフトキー３４をタッチする。再生ソフトキー３４のタッチイベントが入力されると、制御部１１０は、「１：３８」から「３：０２」までに設定した区間を繰り返し再生するように制御する。繰り返し再生の最中に、参照符号４５０の画面例示図に示すように、区間繰り返し解放ソフトキー３２４がタッチされると、制御部１１０は区間繰り返しを終了し、参照符号４６０に示すように、マルチメディアファイル再生画面に戻る。このとき、制御部１１０は、区間繰り返し時に再生中のマルチメディアファイルの再生を維持する。
【００５０】
一方、以上、繰り返し再生区間の設定に当たって、開始位置を設定した後に終了位置を設定すると説明したが、本発明は、終了位置を設定した後に開始位置を設定してもよい。また、第２の実施形態においては、区間繰り返し機能の活性化時にマルチメディアファイルの再生が中止されると説明したが、区間繰り返し機能の活性化時に、第１の実施形態のように、マルチメディアファイルの再生を中止することなく、再生バー３０１の開始及び終了位置に区間選択マーク３２１、３２２を出力してもよい。
【００５１】
図５は、本発明の第３の実施形態による携帯端末の繰り返し再生区間の設定過程を示す例示図である。
【００５２】
図５を参照すると、ユーザーがマルチメディアファイルの再生を要請すると、制御部１１０は、参照符号５１０にて示すマルチメディアファイル再生画面を出力する。この後、区間繰り返しソフトキー３０２のタッチイベントが発生すると、制御部１１０は、参照符号５２０の画面例示図に示すように、スタートマークとエンドマークであることを知らせる索引マークがない未索引マーク５２１を現在の再生位置に出力する。このとき、タッチ移動イベントが発生するまで、未索引マーク５２１はマルチメディアファイルの再生に応じて移動し、時刻情報ウィンドウ３２３は、索引「Ａ」及び索引「Ｂ」に現在の再生位置に相当する時刻情報を出力する。
【００５３】
参照符号５２０の画面例示図に示す状態で、ユーザーは、未索引マーク５２１を特定の方向（前または後）に移動できる。例えば、参照符号５２０の画面例示図に示すように、ユーザーが未索引マーク５２１を左方向（マルチメディアファイルの逆再生方向）に移動すると、制御部１１０は、移動後にタッチ解放イベントが発生した個所にスタートマーク３２１を出力し、タッチ移動前の再生位置にエンドマーク３２２を出力する。すなわち、参照符号５３０の画面例示図に示すように、制御部１１０は、「００：４６」の位置にスタートマーク３２１を出力し、「０１：１８」の位置にエンドマーク３２２を出力した後、設定した区間「００：４６」〜「０１：１８」を繰り返し再生するように制御する。
【００５４】
次いで、参照符号５３０の画面例示図に示す状態で、ユーザーは、エンドマーク３２２を移動して設定した繰り返し再生区間を変更する。例えば、ユーザーは、参照符号５４０の画面例示図に示すように、エンドマーク３２２を「０１：３８」の位置に移動して繰り返し再生区間を変更する。このとき、エンドマーク３２２のタッチ解放信号が入力されると、制御部１１０は、設定した区間「００：４６」〜「０１：３８」を繰り返し再生する。
【００５５】
参照符号５５０の画面例示図は、参照符号５４０の画面例示図の状態から、エンドマーク３２２のタッチ解放イベントの発生後に１０秒が経過した画面である。繰り返し再生中に解放ソフトキー３２４のタッチイベントが入力されると、制御部１１０は、区間繰り返し機能を解放し、参照符号５６０の画面例示図に示すように、マルチメディアファイル再生画面を出力する。
【００５６】
一方、参照符号５２０の画面例示図に示す状態で、ユーザーが未索引マーク５２１を右方向（マルチメディアファイルの再生方向）に移動すると、未索引マーク５２１は、右方向への移動に対応して移動して出力される。このとき、時刻情報ウィンドウ３２３の索引「Ａ」及び「Ｂ」の再生時刻は、未索引マーク５２１の移動に応じて変更され、スタートマーク３２１及びエンドマーク３２２が生成されないこともある。
【００５７】
なお、上述した本発明の携帯端末におけるマルチメディアファイルの区間設定方法は、種々のコンピュータ手段により行われ得るプログラム命令の形で実現してコンピュータにて読み取り可能な記録媒体に書き込まれ得る。このとき、コンピュータにて読み取り可能な記録媒体は、プログラム命令、データファイル、データ構造などを単独でまたは組み合わせて含む。一方、記録媒体に書き込まれるプログラム命令は、本発明のために特別に設計されて構成されたものであってもよく、コンピュータソフトウェアの当業者に公知で使用可能なものであってもよい。
【００５８】
コンピュータにて読み取り可能な記録媒体には、ハードディスク、フロッピー（登録商標）ディスク及び磁気テープなどの磁気媒体（Ｍａｇｎｅｔｉｃ  Ｍｅｄｉａ）、ＣＤ−ＲＯＭ、ＤＶＤなどの光記録媒体（Ｏｐｔｉｃａｌ  Ｍｅｄｉａ）、フロプティカルディスク（Ｆｌｏｐｔｉｃａｌ  Ｄｉｓｋ）などの磁気−光媒体（Ｍａｇｎｅｔｏ−Ｏｐｔｉｃａｌ  Ｍｅｄｉａ）、及びＲＯＭ、ＲＡＭ、フラッシュメモリなどのプログラム命令を保存して行うように特別に構成されたハードウェア装置が含まれる。また、プログラム命令にはコンパイラーによって作成される機械語コードだけではなく、インタープリターなどを用いてコンピュータにより実行できる高級言語コードを含む。上述したハードウェア装置は、本発明の動作を行うために１つ以上のソフトウェアモジュールとして作動するように構成できる。
【００５９】
上述した本発明による携帯端末におけるマルチメディアファイルの区間設定方法及び装置によれば、ユーザーが直観的に且つ容易にマルチメディアファイル区間を設定できる。これにより、本発明は、ユーザーの使い勝手を向上することができる。また、本発明は、マルチメディアファイル区間の再設定を容易に行うことができてユーザーの使い勝手を向上することができる。なお、本発明は、設定したマルチメディアファイル区間を保存し、保存したマルチメディアファイル区間を呼び出すことができてユーザーの使い勝手を向上することができる。
【００６０】
以上、本発明の実施形態による携帯端末におけるマルチメディアファイルの区間設定方法及び装置の好適な実施形態について本明細書及び図面に基づいて説明した。ここで、特定の用語が用いたが、これは、単に本発明の技術内容を容易に説明し、本発明の理解に一助となるために通常の意味として用いられたものに過ぎず、本発明が上述した実施形態に限定されることはない。また、例えば、本発明は、区間を選択し、選択された区間を切り出すマルチメディアファイルの編集に適用され得る。すなわち、本発明の技術的思想に基づく種々の実施形態が採用可能であるということは本発明が属する技術分野の当業者にとって自明である。
【産業上の利用可能性】
【００６１】
本発明は、携帯端末のマルチメディアファイルの区間設定方法及び装置の分野に適用できる。
【符号の説明】
【００６２】
１００  携帯端末
１１０  制御部
１２０  保存部
１３０  タッチスクリーン
１３１  表示部
１３２  タッチパネル
１４０  入力部
１５０  無線通信部
１６０  オーディオ処理部
【図１】
2013516885.tif 000003
【図２】
2013516885.tif 000004
【図３】
2013516885.tif 000005
【図４】
2013516885.tif 000006
【図５】
2013516885.tif 000007
【国際調査報告】
2013516885.tif 000008
2013516885.tif 000009